(57)【要約】【課題】非接触でＩＤを検出し、携帯電話機等の端末に通知する通知装置を提供すること。【課題を解決するための手段】通知装置であるＩＤ連動メール配信装置１１は、ＲＦＩＤタグ１０から非接触でＩＤ情報を読み取るＲＦＩＤタグリーダと、ＩＤ情報と対応してメールアドレス情報を記憶している記憶手段と、ＩＤ情報に基づいて記憶手段を検索して対応するメールアドレスを読み出す検索手段と、現在時刻情報を出力する時計手段と、読み出されたメールアドレス宛に現在時刻情報が記載されたメールを送信する手段とを備える。非接触でＩＤを読み取るので処理が早く、操作性も向上する。また、ＩＤの読み取り結果に基づいてメールを送信するので、遠隔地にいる人に入退室等を時刻と共に通知可能である。【選択図】図１
0003108701.tif 000002
【実用新案登録請求の範囲】
【請求項１】
ＩＤタグから非接触でＩＤ情報を読み取るＩＤ読み取り手段と、
ユーザのＩＤ情報と対応してメールアドレス情報を記憶しているユーザ情報記憶手段と、
ＩＤ読み取り手段から読み取られたＩＤ情報に基づいてユーザ情報記憶手段を検索して対応するメールアドレスを読み出す検索手段と、
現在時刻情報を出力する時計手段と、
検索手段により読み出されたメールアドレス宛に時計手段から取得した現在時刻情報が記載されたメールを送信するメール送信手段と
を備えたことを特徴とする通知装置。
【請求項２】
ＩＤタグから非接触でＩＤ情報を読み取るＩＤ読み取り手段と、
ユーザのＩＤ情報と対応してメールアドレス情報を記憶しているユーザ情報記憶手段と、
前記ＩＤ読み取り手段から読み取られたＩＤ情報に基づいて前記ユーザ情報記憶手段を検索して対応するメールアドレスを読み出す検索手段と、
現在時刻情報を出力する時計手段と、
乱数生成手段と、
前記検索手段により読み出されたメールアドレス宛に前記時計手段から取得した現在時刻情報および前記乱数生成手段により生成された乱数が記載されたメールを送信するメール送信手段と
を備えたことを特徴とする通知装置。
【請求項３】
ＩＤタグから非接触でＩＤ情報を読み取るＩＤ読み取り手段と、
ユーザのＩＤ情報と対応してメールアドレス情報を記憶しているユーザ情報記憶手段と、
前記ＩＤ読み取り手段から読み取られたＩＤ情報に基づいて前記ユーザ情報記憶手段を検索して対応するメールアドレスを読み出す検索手段と、
現在時刻情報を出力する時計手段と、
乱数生成手段と、
前記検索手段により読み出されたメールアドレス宛に前記時計手段から取得した現在時刻情報および前記乱数生成手段により生成された乱数が記載されたメールを送信するメール送信手段と、
ＩＤの読み取りに基づく処理結果を記録するログ情報記録手段と
を備えたことを特徴とする通知装置。
【請求項４】
ＩＤタグから非接触でＩＤ情報を読み取るＩＤ読み取り手段と、
ユーザのＩＤ情報と対応してメールアドレス情報を記憶しているユーザ情報記憶手段と、
前記ＩＤ読み取り手段から読み取られたＩＤ情報に基づいて前記ユーザ情報記憶手段を検索して対応するメールアドレスを読み出す検索手段と、
現在時刻情報を出力する時計手段と、
乱数生成手段と、
前記検索手段により読み出されたメールアドレス宛に前記時計手段から取得した現在時刻情報および前記乱数生成手段により生成された乱数が記載されたメールを送信するメール送信手段と、
ＩＤの読み取りに基づく処理結果を記録するログ情報記録手段と、
自装置がスレーブに設定されている場合には、マスタ装置にログ情報を送信し、自装置がマスタ装置に設定されている場合には受信したログ情報を前記ログ情報記録手段が記録したログ情報に追加するログ情報収集手段と
を備えたことを特徴とする通知装置。
【考案の詳細な説明】
【技術分野】
【０００１】
本考案は、人の所在管理を行うための装置に関し、特にＩＤタグから非接触でＩＤを検出し、携帯電話機等の端末に通知する通知装置に関するものである。
【背景技術】
【０００２】
従来、人の所在管理の一例である入退室管理方式として、ユーザ各自が出入り口等に設置された磁気カードリーダに磁気カードを挿入することによって入退室を管理する装置があった。下記の特許文献１には磁気カードを使用した入退室管理装置の一例が開示されている。
【特許文献１】実開平３−６７４３号公報
【考案の開示】
【考案が解決しようとする課題】
【０００３】
例えば学習塾などにおける出欠の管理を行おうとした場合に、上記したような従来の磁気カードを使用した人の所在管理の方式においては、磁気カードを挿入して読み取るのに時間がかかり、大勢の生徒が殺到した場合に渋滞してしまうという問題があった。また、学習塾などにおいては、生徒の塾への到着や塾からの帰宅を親が知りたいという要求があるが、従来の装置においてはそのような機能が無く、子供がいつ塾に到着し、塾を出たのかが不明であるという問題点もあった。本考案の目的は上記した従来の問題点を解決し、ＩＤタグから非接触でＩＤを検出し、携帯電話機等の端末に通知する通知装置を提供することを目的とする。
【課題を解決するための手段】
【０００４】
本考案の通知装置は、ＩＤタグから非接触でＩＤ情報を読み取るＩＤ読み取り手段と、ユーザのＩＤ情報と対応してメールアドレス情報を記憶しているユーザ情報記憶手段と、ＩＤ読み取り手段から読み取られたＩＤ情報に基づいてユーザ情報記憶手段を検索して対応するメールアドレスを読み出す検索手段と、現在時刻情報を出力する時計手段と、検索手段により読み出されたメールアドレス宛に時計手段から取得した現在時刻情報が記載されたメールを送信するメール送信手段とを備えたことを最も主要な特徴とする。
【０００５】
また、上記した通知装置において、更に乱数生成手段を備え、前記メール送信手段は、前記検索手段により読み出されたメールアドレス宛に前記時計手段から取得した現在時刻情報および前記乱数生成手段により生成された乱数が記載されたメールを送信するようにしてもよい。
【０００６】
また、上記した通知装置において、更に、ＩＤの読み取りに基づく処理結果を記録するログ情報記録手段を備えていてもよい。また、上記した通知装置において、更に、自装置がスレーブに設定されている場合には、マスタ装置にログ情報を送信し、自装置がマスタ装置に設定されている場合には受信したログ情報を前記ログ情報記録手段が記録したログ情報に追加するログ情報収集手段を備えていてもよい。
【考案の効果】
【０００７】
本考案の通知装置によれば、ユーザはカードをカードリーダに挿入する必要がなく、ＩＤタグから非接触でＩＤを読み取るので処理が早く、操作性も向上するという効果がある。また、ＩＤの読み取り結果に基づいてメールを送信するので、遠隔地にいる人に入退室等を時刻と共に通知可能であり、利便性が向上すると共に遠隔地において入退室を管理することも可能であるという効果もある。
【考案を実施するための最良の形態】
【０００８】
以下に図面に基づき、実施の形態を説明する。
【実施例１】
【０００９】
図１は、本考案の通知装置を含むシステム全体の構成を示すブロック図である。本考案の通信装置であるＩＤ連動メール配信装置１１は複数個がＬＡＮ１３によって接続されており、ＬＡＮ１３はルータ１４を介してインターネット２０に接続されている。また、ＬＡＮ１３にはＰＣ（パソコン）１２が接続されていてもよい。
【００１０】
ＩＤ連動メール配信装置１１はＲＦＩＤタグリーダを内蔵しており、ＲＦＩＤタグ１０がＲＦＩＤタグリーダの検出範囲内に入ると、ＲＦＩＤタグ１０固有のＩＤコードを読み出す。なお、ＩＤ連動メール配信装置１１は、電話モデム、ＡＤＳＬモデム、携帯電話機、ＰＨＳなど公知の任意の方法によってインターネット２０に接続されていれば１台で運用可能である。
【００１１】
インターネット２０には、公知のメールサーバ２１、ＰＣ端末２２等が接続されており、更に、携帯電話網２５を介して携帯電話機２６も接続されている。ＩＤ連動メール配信装置１１から送信されたメールはルータ１４、インターネット２０、メールサーバ２１等を介して例えば携帯電話機２６に届く。
【００１２】
図２は、本考案のＩＤ連動メール配信装置１１の構成を示すブロック図である。周知のＣＰＵ３０はＲＯＭ、ＲＡＭ３１に格納された周知のＯＳおよび後述する本考案のアプリケーションプログラムに基づき、装置１１全体を制御する。インターフェイス回路を介して接続された不揮発性メモリカードであるフラッシュメモリカード３２には、各種設定情報やログ情報が記憶される。ハードディスク装置４０はあってもよいが、本考案の実施に必須の装置ではない。
【００１３】
ＲＦＩＤタグリーダユニット３４はＲＦＩＤタグ１０が所定の距離内に接近した場合にそれを検出し、タグ１０から固有のＩＤ情報を読み出す。ＲＦＩＤタグ１０は、例えばカード状のプラスティックの板にＲＦＩＤタグ用のＩＣや回路を埋め込んだものであり、市販されている。非接触で情報のやり取りを行うＩＣカードも利用可能である。
【００１４】
ＲＦＩＤタグ１０および対応するＲＦＩＤタグリーダユニット３４は市販されているものを使用し、ＲＦＩＤタグリーダユニット３４は例えばRS-232C規格等のシリアルインターフェイス回路３３を介して接続する。ＬＡＮインターフェイス回路３５はＬＡＮ１３とのインターフェイスを実行する。電子ブザー３７およびＬＥＤ（発光ダイオード）３８がパラレルインターフェイス回路３６を介して接続されている。時計回路３９は時計用ＩＣおよび専用の電池を備え、ＣＰＵ３０に日付、時刻情報を提供する。
【００１５】
図３は、本考案に関するアプリケーションプログラムの内容を示すフローチャートである。本考案のアプリケーションプログラムが起動すると、Ｓ１０においては、例えば外部のＰＣ１２から各種の設定要求が有るか否かが判定され、判定結果が否定の場合にはＳ１２に移行するが、肯定の場合にはＳ１１に移行する。Ｓ１１においては、後述する設定処理が行われる。
【００１６】
Ｓ１２においては、他のＩＤ連動メール配信装置１１からログ情報を受信したか否かが判定され、判定結果が否定の場合にはＳ１４に移行するが、肯定の場合にはＳ１３に移行する。 Ｓ１３においては、自装置がマスタに設定されている場合には受信したログ情報を自装置において不揮発性メモリに記録しているログ情報に追加して記録するログ追加処理が行われる。
【００１７】
Ｓ１４においては、ＲＦＩＤタグリーダユニット３４から状態情報を読み出すことによって、ＲＦＩＤタグ１０が検出されたか否かが判定され、判定結果が否定の場合にはＳ１０に移行するが、肯定の場合にはＳ１５に移行する。Ｓ１５においては、リーダユニット３４から検出したＩＤ情報を読み込む。Ｓ１６においては、読み込んだＩＤ情報に基づいて記憶されている登録テーブルを検索する。登録テーブルには、ＩＤ情報と対応して例えば本人および保護者の氏名、送信すべきメールアドレス等が登録されている。
【００１８】
Ｓ１７においては、登録テーブルに読み込んだＩＤ情報と一致するＩＤデータが有ったか否かが判定され、判定結果が否定の場合にはＳ１９に移行するが、肯定の場合にはＳ１８に移行する。Ｓ１８においては、ＩＤが一致した登録データを読み出す。また、Ｓ１９においては、予め登録されているシステム管理者のメールアドレス等を読み出す。
【００１９】
Ｓ２０においては、時計回路３９から現在の日付、時刻情報を読み出す。Ｓ２１においては、所定の長さの乱数を生成する。この乱数はメールに記入されると共に、ログに記録され、例えば届いたメールの真偽を判定する必要がある場合に使用される。なお乱数はユニークである方が好ましいが、必須ではない。
【００２０】
Ｓ２２においては、メールを生成し、登録されているメールアドレスへ送信する。メール本文の内容は例えば「○○様へ、△△さんが××年××月××日、午後××時××分に□□塾に到着いたしました。（ＮＮＮＮＮＮＮＮＮＮ）」というような内容である。「○○」の部分には保護者の氏名が、「△△」の部分には本人の氏名が、「××」の部分には日付、時刻情報が、「ＮＮＮＮＮＮＮＮＮＮ」の部分には乱数がそれぞれ挿入されて本文が生成される。
【００２１】
Ｓ２３においては、不揮発性メモリ３２へＩＤ検出処理に関する情報であるログを記録する。記録する項目は、読み取りＩＤ、検索結果、時刻、乱数値、処理装置ＩＤ等である。Ｓ２４においては、装置のブザー３７およびＬＥＤ３８を使用して、利用者にＲＦＩＤタグ１０の処理結果（正常、ＩＤ未登録、読み取り失敗（再読み取り要求）などの区別）を音および光で表示する。
【００２２】
Ｓ２５においては、自装置がスレーブか否（マスタ）かが判定され、判定結果が否定の場合にはＳ１０に移行するが、肯定の場合にはＳ２６に移行する。Ｓ２６においては、マスタ装置へＩＤ検出ログ情報を送信する。
【００２３】
次に、Ｓ１１の設定処理について説明する。図４は、設定処理の内容を示すフローチャートである。なお、ＩＤ連動メール配信装置１１はＷｅｂサーバ機能を備えており、このＷｅｂサーバ機能によりＰＣ１２に標準装備されている周知のブラウザとの間においてやりとりを行う。
【００２４】
Ｓ３０においては、ＰＣ１２からのアクセスに基づき、ＰＣ１２に認証画面データを送出し、管理者のＩＤおよびパスワードを入力させる。Ｓ３１においては、入力されたパスワードが予め登録されているものと一致したか否かによって認証ＯＫか否かが判定され、判定結果が否定の場合には処理を終了するが、肯定の場合にはＳ３２に移行する。
【００２５】
Ｓ３２においては、ＰＣ１２にメニュー画面データを送信してメニューを表示させる。管理者はここでメニューの所望の項目をクリックする。Ｓ３３においては、選択された項目がユーザ情報編集か否かが判定され、判定結果が否定の場合にはＳ３５に移行するが、肯定の場合にはＳ３４に移行する。Ｓ３４においては、登録ユーザ情報の閲覧、新規追加あるいは登録済み情報の変更を行う。
【００２６】
Ｓ３５においては、選択された項目がメール内容編集か否かが判定され、判定結果が否定の場合にはＳ３７に移行するが、肯定の場合にはＳ３６に移行する。Ｓ３６においては、前記したような送信するメールの本文の内容の編集を行う。
【００２７】
Ｓ３７においては、選択された項目がネット情報編集か否かが判定され、判定結果が否定の場合にはＳ３９に移行するが、肯定の場合にはＳ３８に移行する。Ｓ３８においては、自装置のＩＰアドレス、マスタ／スレーブ、マスタ装置のＩＰアドレス、メールサーバＩＰアドレス、管理者のメールアドレス、管理者のＩＤおよびパスワードなどの各種アドレス等の設定、変更を行う。
【００２８】
Ｓ３９においては、選択された項目がログ情報読出か否かが判定され、判定結果が否定の場合にはＳ４１に移行するが、肯定の場合にはＳ４０に移行する。Ｓ４０においては、記録されているログ情報の読み出しを行う。Ｓ４１においては、選択された項目が終了か否かが判定され、判定結果が否定の場合にはＳ３３に移行するが、肯定の場合には処理を終了する。
【００２９】
以上、実施例を開示したが、本考案には以下のような変形例も考えられる。実施例の装置においては、ユーザが入室したのか退室したのかを識別することができない。そこで、１つの出入り口に本発明の装置を２台設置し、一方を入室用とし、他方を退室用としてカードをかざすようにする。そしてそれぞれの装置のメール本文の内容もそのように区別する。このようにすれば入室と退室を区別して管理可能である。
【００３０】
ユーザへのメール送信時に、遠隔地の管理者用メールアドレスへも同じメールを送信することにより、遠隔地からメールによってログを収集することも可能である。また、ユーザ情報として送信先のメールアドレスを複数個登録可能にしてもよい。
【産業上の利用可能性】
【００３１】
本考案の通知装置は、任意の場所における人の所在管理や遠隔地への通知、集計等の用途に利用可能である。
【図面の簡単な説明】
【００３２】
【図１】本考案の通知装置を含むシステム全体構成を示すブロック図である。
【図２】本考案のＩＤ連動メール配信装置の構成を示すブロック図である。
【図３】本考案に関するプログラムの内容を示すフローチャートである。
【図４】設定処理の内容を示すフローチャートである。
【符号の説明】
【００３３】
１０    ＲＦＩＤタグ
１１    ＩＤ連動メール配信装置
１２    ＰＣ
１３    ＬＡＮ
１４    ルータ
２０    インターネット
２１    メールサーバ
２２    ＰＣ端末
２５    携帯電話網
２６    携帯電話機
【図１】
0003108701.tif 000003
【図２】
0003108701.tif 000004
【図３】
0003108701.tif 000005
【図４】
0003108701.tif 000006